(57)【特許請求の範囲】
【請求項１】
口、及び鼻を覆う板状のカバー部を顔面から離間した状態で着用する衛生マスクであって、
平板状のカバー部、及び前記カバー部の裏面の上端部中央から突出する鼻当接部からなるマスク本体と、
前記マスク本体の左右両端部に連結される固定紐と
を備え、
前記鼻当接部は、帯状部材を輪にして形成した左右一対の輪状部からなり、
前記一対の輪状部は、一枚の帯状部材の両端を内側に湾曲させて、当該帯状部材の中央部に連結することにより形成されていることを特徴とする衛生マスク。
【請求項２】
前記マスク本体は、前記カバー部を形成する平板部と、前記鼻当接部を形成する帯状部材が連結された一枚のブランクから形成されており、
前記帯状部材は、前記平板部の上側に左右方向を長手方向として配設され、
前記平板部と前記帯状部材の間には、左右の両端から切れ込む左右一対の切れ込み線が設けられ、
前記左右一対の切れ込み線の間には、前記平板部と前記帯状部材を連結する連結部が設けられ、
前記帯状部材は、前記切れ込み線により前記平板部と分断された左右一対の曲げ自在部を有する請求項１に記載の衛生マスク。
【請求項３】
前記帯状部材は、左右両端から突出する一対の係止片と、左右方向の中央に設けられる第１係止用スリットと有し
前記平板部は、前記第１係止用スリットと前記連結部について上下対称に設けられる第２係止用スリットを有する請求項２に記載の衛生マスク。
【請求項４】
前記左右一対の輪状部は、それぞれ下縁に着用者の鼻を回避するための円弧状の切り欠き部を有する請求項１に記載の衛生マスク。
【請求項５】
口、及び鼻を覆う板状のカバー部を顔面から離間した状態で着用する衛生マスクであって、
平板状のカバー部、及び前記カバー部の裏面の上端部中央から突出する鼻当接部からなるマスク本体と、
前記マスク本体の左右両端部に連結される固定紐と
を備え、
前記鼻当接部は、帯状部材を輪にして形成した左右一対の輪状部からなり、
前記一対の輪状部は、それぞれ別の帯状部材から形成され、合わせて２本の帯状部材から形成されており、
前記マスク本体は、前記カバー部を形成する平板部と、前記鼻当接部を形成する前記２本の帯状部材とが連結された一枚のブランクから形成されており、
前記２本の帯状部材は、前記平板部の上端中央から上方へ延出するように、かつ左右対称に並べられ、
前記帯状部材の先端部を前記平板部の裏面側へ折り曲げたのち、前記先端部を裏返しながら左右の外側へ向けた状態で前記平板部に固定されていることを特徴とする衛生マスク。
【請求項６】
前記帯状部材は、先端から突出する係止片を備え、前記平板部は、前記係止片を挿通する第３係止用スリットを有する請求項５に記載の衛生マスク。
【発明の詳細な説明】
【技術分野】
【０００１】
この発明は、着用者が呼吸により放出する唾液等の飛沫を遮蔽する衛生マスクに関し、特に、顔面から離間した状態で鼻と口の前方を塞ぐ衛生マスクに関する。
【背景技術】
【０００２】
従来、呼吸による飛沫感染を防止するために、顔面に密着させるようにして口や鼻を覆う布や紙製のマスクが広く用いられている。係るマスクは、着用者自身の感染防止と、他人に対する感染防止の両方を目的としているところ、顔面に密着させて着用するため、呼吸が苦しかったり、口紅等の化粧がマスクに付着したりするという問題が有る。
【０００３】
そこで、特許文献１では、呼吸器の前方を覆う透明湾曲板からなるカバー体を、内側から突出した顎把持部を顎に当接させることで、カバー体を顔面から離間した状態で支持するようにして、他者の保護のみを目的とした衛生マスクが提案されている。
【先行技術文献】
【非特許文献】
【０００４】
【非特許文献１】特許第５２７４９８４号公報
【発明の概要】
【発明が解決しようとする課題】
【０００５】
しかし、特許文献１の衛生マスクは、カバー体を顎で支持することから、カバー体の下側から手を入れることができず、マスクをしたまま食事や、あるいは、リコーダー等の楽器の演奏ができないという問題が有る。
また、特許文献１の衛生マスクでは、カバー体を支持する部材がカバー体とは別途の部材で形成されているため、製造コストがかさむという問題がある。
本発明は、かかる課題に鑑みてなされたものであり、着用した状態でも食事やリコーダー等の演奏が可能で、製造コストを抑制可能な衛生マスクの提供を目的とする。
【課題を解決するための手段】
【０００６】
上記課題を解決するためになされた発明は、口、及び鼻を覆う板状のカバー部を顔面から離間した状態で着用する衛生マスクであって、平板状のカバー部、及び前記カバー部の裏面の上端部中央から突出する鼻当接部からなるマスク本体と、前記マスク本体の左右両端部に連結される固定紐とを備え、前記鼻当接部は、帯状部材を輪にして形成した左右一対の輪状部からなり、前記一対の輪状部は、一枚の帯状部材の両端を内側に湾曲させて、当該帯状部材の中央部に連結することにより形成されていることを特徴とする
尚、本明細書において、上下左右は、本衛生マスクを着用したときの着用者から見た上下左右をいうものとし、組み立て前と組み立て後とで共通する。
【０００７】
本発明の衛生マスクは、このように、平板状のカバー部の裏面から突出する鼻当接部を鼻に当接させることによりカバー部を支えるので、カバー部と顔面の間へ下方から手を入れることができ、着用した状態でも飲食やリコーダー等の演奏が可能である。また、鼻当接部を帯状部材により輪状に形成することで、製造コストを抑制できるとともに、鼻当接部に弾力を持たせることができるので、鼻当接部により鼻が痛くなることを抑制できる。加えて、輪状部を左右一対に設けることで、一対の輪状部の間に鼻を入れることにより衛生マスクが左右にずれることを抑制できる。
【０００８】
また、本発明の衛生マスクは、前記一対の輪状部が、一枚の帯状部材の両端を内側に湾曲させて、当該帯状部材の中央部に連結することにより形成されていることで、左右の輪状部を別々の帯状部材で形成する場合に比べて、製造コストを抑制できる。
【０００９】
前記マスク本体は、前記カバー部を形成する平板部と、前記鼻当接部を形成する帯状部材が連結された一枚のブランクから形成されており、前記帯状部材は、前記平板部の上側に左右方向を長手方向として配設され、前記平板部と前記帯状部材の間には、左右の両端から切れ込む左右一対の切れ込み線が設けられ、前記左右一対の切れ込み線の間には、前記平板部と前記帯状部材を連結する連結部が設けられ、前記帯状部材は、前記切れ込み線により前記平板部と分断された左右一対の曲げ自在部を有することが好ましい。
このように、カバー部を形成する平板部と鼻当接部を形成する帯状部材を左右一対の切れ込み線を挟んで連結し、帯状部材の両端に曲げ自在部を設けることで、該曲げ自在部を左右方向の内側へ湾曲させることにより容易に左右一対の輪状部を形成できる。また、このようにマスク本体を一枚のブランクから形成することで、製造コストをより低減できる。また、ブランクの状態で、輸送・販売を行い、購入者に組み立ててもらうことが可能となるため、製造・輸送コストを低減できる。
【００１０】
前記帯状部材は、左右両端から突出する一対の係止片と、左右方向の中央に設けられる第１係止用スリットと有し、前記平板部は、前記第１係止用スリットと前記連結部について上下対称に設けられる第２係止用スリットを有することが好ましい。
こうすることで、帯状部材を平板部に重ねるように連結部に沿って折り曲げたのち、一対の係止片を前記第１、及び第２係止用スリットへ同時に挿通するようにして、曲げ自在部を左右方向の内側へ折り曲げて左右一対の輪状部からなる鼻当接部を形成すると同時に鼻当接部を平板部（カバー部）に固定することができる。
【００１１】
前記左右一対の輪状部は、それぞれ下縁に着用者の鼻を回避するための円弧状の切り欠き部を有することが好ましい。このような切り欠き部を設けることで、鼻当接部を鼻にフィットさせることができる。
【００１２】
本発明の衛生マスクは、前記一対の輪状部が、それぞれ別の帯状部材から形成され、合わせて２本の帯状部材から形成されていてもよい。
【００１３】
前記鼻当接部が、２本の帯状部材から形成されている場合において、前記マスク本体は、前記カバー部を形成する平板部と、前記鼻当接部を形成する前記２本の帯状部材とが連結された一枚のブランクから形成されており、前記２本の帯状部材は、前記平板部の上端中央から上方へ延出するように、かつ左右対称に並べられ、前記帯状部材の先端部を前記平板部の裏面側へ折り曲げたのち、前記先端部を裏返しながら左右の外側へ向けた状態で前記平板部に固定されている。
このように、平板部から上方へ突出する左右一対の帯状部材を、それぞれ平板部側へ折り返したのち、帯状部材の先端部裏返しながら左右方向の外側へ向けるようにして平板部に固定すると、左右一対の輪状部を、左右の外側ほど径の大きい円錐形に形成できるので、鼻当節部の形を鼻の形状に合わせることができる。また、輪状部の端縁が左右に向くので、マスク本体を上や下に向けても着用者の顔面に輪状部の端縁が当たることがなく、安全である。
【００１４】
前記帯状部材が、平板部の上縁から上方へ突出している場合では、前記帯状部材は、先端から突出する係止片を備え、前記平板部は、前記係止片を挿通する第３係止用スリットを有することが好ましい。
【発明の効果】
【００１５】
以上説明したように、本発明の衛生マスクによれば、下からカバー部と顔面の間に手を入れられるので、着用したまま飲食やリコーダー等の演奏をすることができ、また、容易に製造できるので、製造コストを低減できる。
【図面の簡単な説明】
【００１６】
【図１】本発明の第１実施形態に係る衛生マスクの使用状態を示す斜視図である。
【図２】第１実施形態に係るマスク本体を形成するブランクを示す正面図である。
【図３】図２に示したブランクの斜視図である。
【図４】図２に示したブランクの帯状部材を折り曲げて平板部へ重ねた状態を示す斜視図である。
【図５】図４に示したブランクの帯状部材の曲げ自在部を丸めて輪状部を組み立てる様子を示した斜視図である。
【図６】本発明の第１実施形態に係るマスク本体を組み立てた状態を示す正面図である。
【図７】図６のマスク本体の背面図である。
【図８】図６のマスク本体の左側面図である。
【図９】図６のマスク本体の平面図である。
【図１０】図６のマスク本体の底面図である。
【図１１】本発明の第２実施形態に係る衛生マスクのブランクを示す正面図である。
【図１２】本発明の第３実施形態に係る衛生マスクのブランクを示す斜視図である。
【図１３】本発明の第４実施形態に係る衛生マスクのブランクを示す斜視図である。
【図１４】本発明の第５実施形態に係る衛生マスクの使用状態を示す正面図である。
【図１５】図１４の衛生マスクのブランクを示す正面図である。
【図１６】図１５のブランクの斜視図である。
【図１７】図１５のブランクの帯状部材を折り曲げて平板部へ重ねた状態を示す斜視図である。
【図１８】図１７の状態のブランクの帯状部材の先端を裏返しながら第２係止用スリットへ挿入して輪状部を組み立てる様子を示した斜視図である。
【図１９】本発明の第５実施形態に係る衛生マスク本体の正面図である。
【図２０】図１４のマスク本体の背面図である。
【図２１】図１４のマスク本体の左側面図である。
【発明を実施するための形態】
【００１７】
以下、適宜図面を用いながら本発明の実施形態について詳述する。ただし、本発明は、以下の実施形態に限定されるものではない。
【００１８】
（第１実施形態）
図１は、本発明の第１実施形態に係る衛生マスク１００を示している。
衛生マスク１００は、マスク本体１と、マスク本体１を着用者の顔面に固定する固定紐６とを備えている。マスク本体１は、平板状のカバー部１１と、カバー部１１の裏面の上端部中央から突出する鼻当接部２とを有している。衛生マスク１００は、板状のカバー部１１を顔面から離間させた状態で、着用者の口、及び鼻を覆うように着用される。
【００１９】
マスク本体１は、図２、図３に示すように１枚の板状部材からトムソン金型等により打抜かれたブランク１Ａから組立てられる。ブランク１Ａは、平板部１１Ａと、鼻当接部２を形成する帯状部材２Ａとを備えている。ブランク１Ａを形成する材料としては、可撓性を有する透明樹脂製の板材が好ましいが、可撓性を有する板材であれば特に限定されず、透明でなくともよいし、紙や木材等公知の板材を適宜に用いることができる。
【００２０】
平板部１１Ａは、横長の長方形から左右の下側の角部を大きく円弧状に切り取った平板状をなし、上端の左右両端部に一対の紐係止片１２、１２が突設され、左右方向の中央には、上下方向に長い貫通孔からなる第２係止用スリット５２が設けられている。また、紐係止片１２の中央には、固定紐６を係止する係止孔１２ａが設けられている。
【００２１】
帯状部材２Ａは、図２に示すように、左右方向を長手方向とする帯状をなし、平板部１１Ａの上縁１１ａに沿うよう設けられている。平板部１１Ａと帯状部材２Ａの間には、左右の両端から切れ込む左右一対の直線状の切れ込み線３，３が設けられている。また、左右一対の切れ込み線３，３の間には、平板部１１Ａの上縁１１ａと帯状部材２Ａの下縁２ａを連結する連結部４が設けられている。帯状部材２Ａは、切れ込み線３により平板部１１Ａから切り離された左右一対の曲げ自在部２３，２３を有している。ただし、切れ込み線３は、直線状でなくともよい。
【００２２】
帯状部材２Ａの左右の両端には、一対の係止片２１，２１が突設され、左右方向の中央部には、上下方向に長い貫通孔からなる第１係止用スリット５１が設けられている。係止片２１は、基端部に第１、第２係止用スリット５１，５２に係止するくびれ部２１ａ，２１ａを有している。また、帯状部材２Ａは、上縁から弧状に切れ込む左右一対の切り欠き部２２，２２を有している。第１係止用スリット５１と第２係止用スリット５２は、連結部４を挟んで上下対称に設けられている。
【００２３】
（マスク本体１の組み立て）
マスク本体１を組み立てるときは、図４に示すように、帯状部材２Ａを切れ込み線３，３及び連結部４に沿って折り曲げて、平板部１１Ａへ重ねる。このとき、第１係止用スリット５１は、第２係止用スリット５２に重なる。しかるのち、図５に示すように、帯状部材２Ａの左右の曲げ自在部２３，２３を内側へ折り曲げ、係止片２１，２１を第１係止用スリット５１、及び第２係止用スリット５２に同時に挿通して左右一対の輪状部２０，２０を形成する。輪状部２０，２０は、図７に示すように、上下方向（図７の上下方向）に開口する輪状に形成され、切り欠き部２２，２２は、輪状部２０，２０の左右の両端に位置するよう設けられていて、輪状部２０，２０は、左右の外側から内側に向かって徐々に太くなるよう構成されている。係止片２１，２１は、図８に示すように、第１係止用スリット５１、第２係止用スリット５２に挿通されたのち、カバー部１１の表面側（図８の右側）へ突出する。
【００２４】
（衛生マスク１００の組み立て）
マスク本体１が完成したら、固定紐６の両端を係止孔１２ａに通して結び目を設け、固定紐６を左右の係止孔１２ａ，１２ａに架け渡すように取り付ける。衛生マスク１００は、図１に示すように着用時には、固定紐６の張力により顔面のカーブに沿って湾曲する。
固定紐６はゴム紐が好ましいが、これに限定されるものではない。また、図１では、固定紐６を耳の上に通しているが、図１４のように、耳の下に通してもよい。
【００２５】
（衛生マスク１００の効果）
衛生マスク１００は、カバー部１１の裏面の上端部中央に設けた鼻当接部２を着用者の鼻に当接させることにより、下方が開放された状態でカバー部を支持するので、着用した状態で下方から手を入れて飲食やリコーダー等の演奏を行うことができる。
【００２６】
衛生マスク１００は、鼻当接部２を帯状部材２Ａにより形成された左右一対の輪状部２０，２０から形成したので、鼻当接部２が弾力に富み、長時間着用した際に鼻が痛くなることを抑制できる。また、左右一対の輪状部２０，２０の間に鼻を入れることで、衛生マスク１００が、顔の左右にずれることを抑制できる。
【００２７】
衛生マスク１００は、鼻当接部２を形成する帯状部材２Ａとカバー部１１を形成する平板部１１Ａを連結した一枚のブランク１Ａにより形成するので、製造が容易で製造コストを抑制できる。
【００２８】
また、衛生マスク１００の鼻当接部２は、切り欠き部２２を備えるので、着用者の鼻によく密着する。
【００２９】
（第２実施形態）
図１１は、本発明の第２実施形態に係る衛生マスクのブランク２０１Ａを示している。第２実施形態以降の実施形態において、第１実施形態と共通する部材は共通する符号を用いて説明を省略する。ブランク２０１Ａは、鼻当接部を形成する帯状部材２０２Ａに、円弧状の切り欠き部２２を有さない他は、第１実施形態のブランク１Ａと同じである。
【００３０】
（第３実施形態）
図１２は、本発明の第３実施形態に係る衛生マスクのブランク３０１Ａを示している。ブランク３０１Ａは、鼻当接部を形成する帯状部材３０２Ａが、カバー部を形成する平板部３１１Ａと別に設けられている点で、第１実施形態のブランク１Ａと異なる。帯状部材３０２Ａ、及び平板部３１１Ａは、第１実施形態の帯状部材２Ａ、平板部１１Ａと同形状である。図１２に一点鎖線で示すように、左右一対の係止片２１，２１を、共に第１係止用スリット５１、及び第２係止用スリット５２に挿入することで、左右一対の輪状部からなる鼻当接部を形成するとともに、鼻当接部をカバー部（平板部）に固定する。
【００３１】
（第４実施形態）
図１３は、本発明の第４実施形態に係る衛生マスクのブランク４０１Ａを示している。ブランク４０１Ａでは、左右の輪状部を形成する２本の帯状部材４０２Ａ，４０２Ａと、平板部４１１Ａが別々に形成されている。一対の帯状部材４０２Ａ，４０２Ａは、それぞれ左右方向の内側に第１係止用スリット５１を有しており、平板部４１１Ａは、左右対称に設けられる一対の第２係止用スリット５２，５２を有している。左右の帯状部材４０２Ａ，４０２Ａは、図１３に一点鎖線で示すように、係止片２１を第１係止用スリット５１、第２係止用スリット５２に挿入することで輪状部を形成するとともに、カバー部（平板部）に固定される。
【００３２】
（第５実施形態）
図１４は、本発明の第５実施形態に係る衛生マスク５００を示している。衛生マスク５００は、マスク本体５０１と、マスク本体５０１を着用者の顔面に固定する固定紐６とを備えている。マスク本体５０１は、図１５、図１６に示すように１枚の板状部材からトムソン金型等により打抜かれたブランク５０１Ａから形成される。ブランク５０１Ａは、平板部５１１Ａと、鼻当接部５０２を形成する左右一対（２本）の帯状部材５０２Ａ，５０２Ａとを備え、対称軸５０１Ｘについて左右対称に設けられている。ブランク５０１Ａは、可撓性を有する透明樹脂製の板材により形成されることが好ましいが、これに限定されず、半透明や不透明の板材を用いてもよいし、紙や木材等、樹脂以外の板材を用いてもよい。
【００３３】
平板部５１１Ａは、横長の長方形から左右の下側の角部を大きく円弧状に切り取った平板状をなし、上端の左右両端部に一対の紐係止片１２、１２が突設され、紐係止片１２の中央には、固定紐６を係止する係止孔１２ａが設けられている。
【００３４】
左右一対の帯状部材５０２Ａ，５０２Ａは、図１５に示すように、上下（図１５の上下）方向に長い帯状をなし、平板部１１Ａの上縁５１１ａの左右方向の中央から上方へ延出するよう設けられている。帯状部材５０２Ａは、先端に半円形の係止片５２１を備えている。係止片５２１の付け根には、第１係止用スリットに係止するくびれ部５２１ａ，５２１ａが設けられている。
【００３５】
平板部５１１Ａの左右方向の中央には、上下方向に長い貫通孔からなる左右一対の第３係止用スリット５５２，５５２が設けられている。左右一対の第３係止用スリット５５２，５５２は、図１５に示すように、対称軸５０１Ｘからの距離Ｌ１が、対称軸５０１Ｘから帯状部材５０２Ａの左右方向の外側の端縁５０２ａまでの距離Ｌ２よりも大きい。また、第３係止用スリット５５２の下端５２２ａと帯状部材５０２Ａの基端５０２ｂの距離Ｌ３は、帯状部材５０２Ａの長さＬ４より小さい。
【００３６】
（マスク本体５０１の組み立て）
マスク本体１を組み立てるときは、図１７に示すように、帯状部材２Ａを平板部５１１Ａの裏面側（図１７の紙面手前側）に折り曲げる。このとき、第３係止用スリット５５２と対称軸５０１Ｘからの距離Ｌ１が、帯状部材５０２Ａの左右方向の外側の端縁５０２ａと対称軸５０１Ｘとの距離Ｌ２よりも大きいので、図１５に示すように、一対の第３係止用スリット５５２，５５２は、折り返した帯状部材５０２Ａ，５０２Ａの左右方向の外側に位置する。また第３係止用スリット５５２の下端５２２ａと帯状部材５０２Ａの基端５０２ｂの距離Ｌ３は、帯状部材５０２Ａの長さＬ４より小さいので、第３係止用スリット５５１の下端５２２は、平板部５１１Ａ側へ折り曲げた帯状部材５０２Ａの先端５２１ｂよりも上にある。
帯状部材５０２Ａと第３係止用スリット５２２Ａがこのような位置関係にあるので、図１８に示すように、平板部５１１Ａ側へ折り返した帯状部材５０２Ａの先端部を裏返しつつ第３係止用スリット５５２へ挿入することができる。これにより、左右一対の輪状部５２０，５２０が形成される。
【００３７】
輪状部５２０は、図１９に示すように、左右方向の外側ほど直径が大きく、左右方向に開口する略円錐状をなしている。係止片５２１，５２１は、図２０、図２１に示すように、カバー部５１１の表面側（図２１の右側）に、左右の外側を向いて突出する。
【００３８】
（衛生マスク５００の組立）
マスク本体１が完成したら、固定紐６の両端を係止孔１２ａに通して結び目を設け、固定紐６を左右の係止孔１２ａ，１２ａに架け渡すように取り付ける。衛生マスク５００は、固定紐６の張力により顔面のカーブに沿って湾曲する。図１４では、固定紐６を、耳の下へ通したが、図１のように、耳の上を通してもよい。
【００３９】
衛生マスク５００は、カバー部の裏面の上端部中央に設けた鼻当接部５０２を着用者の鼻に当接させることにより、下方が開放された状態でカバー部を支持するので、着用した状態で下方から手を入れて飲食やリコーダー等の演奏を行うことができる。
【００４０】
衛生マスク５００は、鼻当接部５０２を、帯状部材５０２Ａにより形成された輪状部５２０により構成したので、鼻当接部５０２が弾力に富み、長時間着用した際に鼻が痛くなることを抑制できる。また、左右一対の輪状部５２０，５２０の間に鼻を入れることで、衛生マスク５００が、顔の左右にずれることを抑制できる。
【００４１】
衛生マスク５００は、鼻当接部５０２を形成する帯状部材２Ａとカバー部５１１を形成する平板部５１１Ａを連結した一枚のブランクにより形成するので、製造が容易で製造コストを抑制できる。
【００４２】
輪状部５２０の端縁５０２ａ，５０２ｄは、左右方向を向いているので、マスク本体５０１を上下に傾けても着用者の顔面に当接することがなく、当該端縁５０２ａ，５０２ｄにより顔面を傷つけることがない。
【００４３】
本発明は、上記の実施形態に限られるものではなく、紐係止片１２は設けず、カバー部１１に係止孔１２ａのみを設けてもよい。ゴム紐は、１本のゴム紐を左右の係止孔へ架け渡すのではなく、左右の係止孔にそれぞれ輪状のゴム紐を設けるようにしてもよい。帯状部材を輪状に連結する方法としては、係止片と係止用スリットに限らず、面ファスナーや接着剤の他、公知の係止方法を適宜に採用できる。帯状部材は、長さ方向を左右方向や上下方向とするものに限らず、長さ方向を左右方向や水平方向に傾斜する方向に設けてもよい。
【符号の説明】
【００４４】
１００，５００  衛生マスク
１，５０１  マスク本体
１Ａ，２０１Ａ，３０１Ａ，４０１Ａ,５０１Ａ  ブランク
１１，５０１  カバー部
１１Ａ，３１１Ａ，４１１Ａ，５１１Ａ  平板部
１１ａ  上縁
２  鼻当接部
２Ａ，２０１Ａ，３０２Ａ，４０２Ａ，５０２Ａ  帯状部材
２ａ  下縁
２０，５２０  輪状部
２１，５２１  係止片
２２  切り欠き部
２３  曲げ自在部
３  切れ込み線
４  連結部
５１  第１係止用スリット
５２  第２係止用スリット
５５２  第３係止用スリット
６  固定紐
【要約】      （修正有）【課題】着用したまま飲食が可能な衛生マスクを提供する。【解決手段】口、及び鼻を覆う板状のカバー部を顔面から離間した状態で着用する衛生マスク１００であり、衛生マスク１００は、平板状のカバー部１１、及びカバー部１１の裏面の上端部中央から突出する鼻当接部２からなるマスク本体１と、マスク本体１の左右両端部に連結される固定紐６とを備え、鼻当接部２は、帯状部材を輪にして形成した左右一対の輪状部２２，２２からなる。【選択図】図１【図１】
0006902300.tif 000002
【図２】
0006902300.tif 000003
【図３】
0006902300.tif 000004
【図４】
0006902300.tif 000005
【図５】
0006902300.tif 000006
【図６】
0006902300.tif 000007
【図７】
0006902300.tif 000008
【図８】
0006902300.tif 000009
【図９】
0006902300.tif 000010
【図１０】
0006902300.tif 000011
【図１１】
0006902300.tif 000012
【図１２】
0006902300.tif 000013
【図１３】
0006902300.tif 000014
【図１４】
0006902300.tif 000015
【図１５】
0006902300.tif 000016
【図１６】
0006902300.tif 000017
【図１７】
0006902300.tif 000018
【図１８】
0006902300.tif 000019
【図１９】
0006902300.tif 000020
【図２０】
0006902300.tif 000021
【図２１】
0006902300.tif 000022